(57)【要約】【課題】  屋根上の作業の安全性を高めること。【解決手段】  本発明の安全確保方法は、屋根の軒部近傍となる第１の位置４１に、親綱若しくは命綱を取り付ける取付部３０を備えた安全対策用取付具１０を固定した後、当該安全対策用取付具１０と前記作業者とを第１の命綱で繋ぎ、その状態で、屋根Ｒの棟部近傍となる第２の位置４２に安全対策用取付具１０を固定し、第２の位置４２の安全対策用取付具１０と前記作業者とを第２の命綱で繋いだ後、前記第１の命綱を第１の位置４１の安全対策用取付具１０若しくは前記作業者から取り外し、前記第２の位置から棟部近傍を横方向に移動しながら複数の位置で安全対策用取付具１０を固定し、棟部近傍に位置する各安全対策用取付具間１０に親綱Ｗを掛け渡すという手法を採っている。【選択図】          図１
2011174301.tif 000002
【特許請求の範囲】
【請求項１】
屋根上の作業領域での作業に際し、作業者によって行われる安全確保方法であって、
屋根の軒部近傍となる位置に、親綱若しくは命綱を取り付ける取付部を備えた安全対策用取付具を固定した後、当該安全対策用取付具と前記作業者とを命綱で繋ぎ、その状態で、屋根の棟部近傍となる複数位置に前記安全対策用取付具を固定し、当該棟部近傍の各安全対策用取付具間に親綱を掛け渡すことを特徴とする屋根上作業のための安全確保方法。
【請求項２】
屋根上の作業領域での作業に際し、作業者によって行われる安全確保方法であって、
屋根の軒部近傍となる第１の位置に、親綱若しくは命綱を取り付ける取付部を備えた安全対策用取付具を固定した後、当該安全対策用取付具と前記作業者とを第１の命綱で繋ぎ、その状態で、屋根の棟部近傍となる第２の位置に前記安全対策用取付具を固定し、当該第２の位置の前記安全対策用取付具と前記作業者とを第２の命綱で繋いだ後、前記第１の命綱を前記第１の位置の前記安全対策用取付具若しくは前記作業者から取り外し、前記第２の位置から棟部近傍を横方向に移動しながら複数の位置で前記安全対策用取付具を固定し、棟部近傍に位置する各安全対策用取付具間に親綱を掛け渡すことを特徴とする屋根上作業のための安全確保方法。
【請求項３】
前記安全対策用取付具は、前記取付部が本体側から取り外し可能に設けられ、
前記作業領域での作業後に、前記取付部を前記本体から取り外すことを特徴とする請求項１又は２記載の屋根上作業のための安全確保方法。
【請求項４】
前記安全対策用取付具は、前記取付部が本体側から取り外し可能に設けられ、
前記作業領域での作業後に、前記第２の位置の前記安全対策用取付具と前記作業者とを第２の命綱で繋いだ状態で、前記親綱を前記各安全対策用取付具から取り外しながら、前記第２の位置を除く前記棟部近傍の前記安全対策用取付具から前記取付部を取り外し、前記第１の位置の前記安全対策用取付具と前記作業者とを第１の命綱で繋いでから、前記第２の位置の前記安全対策用取付具から前記取付部を取り外し、その後、前記第１の位置の前記安全対策用取付具から前記取付部を取り外すことを特徴とする請求項２記載の屋根上作業のための安全確保方法。
【請求項５】
前記安全対策用取付具は、足場板を支持可能な足場板支持部材を取り付け可能に設けられ、
前記軒部近傍の複数位置に前記安全対策用取付具を固定した後で、当該各安全対策用取付具に前記足場板支持部材を取り付け、当該各足場板支持部材で前記足場板を支持させることを特徴とする請求項１〜４の何れかに記載された屋根上作業のための安全確保方法。
【請求項６】
屋根表面に固定される本体と、当該本体に対して着脱自在に取り付けられるアタッチメントとを備え、
前記アタッチメントは、屋根上の作業時に用いられる親綱若しくは命綱を取り付けるための取付部を有することを特徴とする安全対策用取付具。
【請求項７】
前記本体は、前記屋根の表面に固定されるベースと、前記アタッチメントを支持する支持体とを備え、
前記支持体は、前記ベースに対して移動可能に連なり、当該ベースに対する固定位置を調整可能に設けられていることを特徴とする請求項６記載の安全対策用取付具。
【請求項８】
前記本体は、屋根瓦の下方に位置する板材に取り付けられ、前記屋根瓦と前記板材との間に形成された隙間に収容可能となるサイズに設定されていることを特徴とする請求項６又は７記載の安全対策用取付具。
【発明の詳細な説明】
【技術分野】
【０００１】
本発明は、屋根上での作業の安全性を高めるための安全確保方法及びそれに用いる安全対策用取付具に関する。
【背景技術】
【０００２】
温室効果ガス削減の社会的要請により、太陽光発電システムが様々な場所で導入されており、特に、一般住宅においても、太陽光発電システムが普及しつつある。当該太陽光発電システムは、太陽光発電を行うためのソーラーパネルを屋外に設置しなければならず、一般住宅では、屋根上にソーラーパネル設置するのが一般的である。ところが、一般住宅は、勾配屋根が多いため、大型で高重量のソーラーパネルを据え付ける作業が容易でなく、当該作業時における作業者の安全性の確保が問題となる。
【０００３】
ところで、特許文献１には、屋根にソーラーパネルを設置するために用いられる設置用器具が開示されている。この器具は、板状のベース部と、ベース部の面上に立設されたリング状の突出部と、ベース部を屋根に固定するための固定手段とを備えている。作業者は、屋根の所定位置にベース部を取り付けた上で、自己の安全帯の一端を前記突出部に固定した状態で、ソーラーパネルの設置作業を行う。
【先行技術文献】
【特許文献】
【０００４】
【特許文献１】特開２００７−６３９３３号公報
【発明の概要】
【発明が解決しようとする課題】
【０００５】
しかしながら、前記特許文献１には、その設置用器具を屋根上に設置する際の手順が開示されておらず、設置用器具の屋根上への取り付け作業時の安全性については何ら考慮されていない。すなわち、同文献の図４に示されるように、屋根の棟部近傍に設置用器具を取り付ける場合、作業者は、屋根の下端側となる軒部付近に梯子を掛けて屋根に上がり、命綱無しで軒部から棟部に向かって屋根上を登っていかなければならず、この際に、作業者が誤って屋根から転落する虞がある。また、同文献の図４に示されるように、屋根の棟部付近の設置用器具の突出部に作業者の命綱を取り付けた状態で、ソーラーパネルの設置作業を行う際には、作業者の体重が設置用器具に直接作用する構造になっているため、当該設置用器具が不意に脱落して作業者が屋根から転落する虞がある。また、このことから、ソーラーパネルの設置作業を複数の作業者で行う場合は、１つの設置用器具に各作業者の命綱をまとめて繋ぐことができず、作業者の人数分、設置用器具を屋根上に取り付ける必要があり、設置用器具の取り付け作業が煩雑になる。
【０００６】
また、前記特許文献１の設置用器具は、ソーラーパネルの設置作業後も、その後のメンテナンス等のために、そのまま屋根上に取り付けたままにされるが、この際、突出部が露出した状態になるため、屋根の外観上の体裁を損ねることになる。
【０００７】
本発明は、このような課題に着目して案出されたものであり、その目的は、ソーラーパネルの設置作業等のような屋根上の作業の安全性を考慮した安全確保方法及びそれに用いる安全対策用取付具を提供することにある。
【０００８】
また、本発明の他の目的は、屋根上での作業が終了し、そのまま固定した場合であっても、当該固定部分を露出させずに、屋根の外観上の体裁を良好に保つことができる安全対策用取付具を提供することにある。
【課題を解決するための手段】
【０００９】
（１）前記目的を達成するため、本発明は、屋根上の作業領域での作業に際し、作業者によって行われる安全確保方法であって、
屋根の軒部近傍となる位置に、親綱若しくは命綱を取り付ける取付部を備えた安全対策用取付具を固定した後、当該安全対策用取付具と前記作業者とを命綱で繋ぎ、その状態で、屋根の棟部近傍となる複数位置に前記安全対策用取付具を固定し、当該棟部近傍の各安全対策用取付具間に親綱を掛け渡す、という手法を採っている。
【００１０】
（２）また、本発明は、屋根上の作業領域での作業に際し、作業者によって行われる安全確保方法であって、
屋根の軒部近傍となる第１の位置に、親綱若しくは命綱を取り付ける取付部を備えた安全対策用取付具を固定した後、当該安全対策用取付具と前記作業者とを第１の命綱で繋ぎ、その状態で、屋根の棟部近傍となる第２の位置に前記安全対策用取付具を固定し、当該第２の位置の前記安全対策用取付具と前記作業者とを第２の命綱で繋いだ後、前記第１の命綱を前記第１の位置の前記安全対策用取付具若しくは前記作業者から取り外し、前記第２の位置から棟部近傍を横方向に移動しながら複数の位置で前記安全対策用取付具を固定し、棟部近傍に位置する各安全対策用取付具間に親綱を掛け渡す、という手法を採っている。
【００１１】
（３）ここで、前記安全対策用取付具は、前記取付部が本体側から取り外し可能に設けられ、
前記作業領域での作業後に、前記取付部を前記本体から取り外す、という手法を採ることが好ましい。
【００１２】
（４）また、前記安全対策用取付具は、前記取付部が本体側から取り外し可能に設けられ、
前記作業領域での作業後に、前記第２の位置の前記安全対策用取付具と前記作業者とを第２の命綱で繋いだ状態で、前記親綱を前記各安全対策用取付具から取り外しながら、前記第２の位置を除く前記棟部近傍の前記安全対策用取付具から前記取付部を取り外し、前記第１の位置の前記安全対策用取付具と前記作業者とを第１の命綱で繋いでから、前記第２の位置の前記安全対策用取付具から前記取付部を取り外し、その後、前記第１の位置の前記安全対策用取付具から前記取付部を取り外す、という手法を採ることが好ましい。
【００１３】
（５）更に、前記安全対策用取付具は、足場板を支持可能な足場板支持部材を取り付け可能に設けられ、
前記軒部近傍の複数位置に前記安全対策用取付具を固定した後で、当該各安全対策用取付具に前記足場板支持部材を取り付け、当該各足場板支持部材で前記足場板を支持させる、という手法を採ることが好ましい。
【００１４】
（６）また、本発明に係る安全対策用取付具は、屋根表面に固定される本体と、当該本体に対して着脱自在に取り付けられるアタッチメントとを備え、
前記アタッチメントは、屋根上の作業時に用いられる親綱若しくは命綱を取り付けるための取付部を有する、という構成を採っている。
【００１５】
（７）更に、前記本体は、前記屋根の表面に固定されるベースと、前記アタッチメントを支持する支持体とを備え、
前記支持体は、前記ベースに対して移動可能に連なり、当該ベースに対する固定位置を調整可能に設けられる、という構成を採ると良い。
【００１６】
（８）また、前記本体は、屋根瓦の下方に位置する板材に取り付けられ、前記屋根瓦と前記板材との間に形成された隙間に収容可能となるサイズに設定される、という構成を採ることが好ましい。
【発明の効果】
【００１７】
本発明によれば、屋根上での作業領域で作業する際に、作業者は、命綱を親綱に繋げて作業することができ、屋根に固定された安全対策用取付具に作業者の体重が直接作用することがなく、安全対策用取付具が屋根から不意に脱落することを防止できる。また、軒側から棟側に向かって安全対策用取付具を順次固定する過程で、先に固定された安全対策用取付具に命綱を取り付け、当該安全対策用取付具を利用しながら、次の安全対策用取付具を屋根に固定するため、安全対策用取付具の屋根への取り付け時に、作業者が屋根から転落する虞を大幅に低減することができ、この点からも、屋根作業の安全性の確保が期待できる。
【００１８】
特に、前記（２）の手法によれば、第１の位置と第２の位置との間を作業者が移動するときの命綱と、作業者が第２の位置から棟部近傍を移動するときの命綱との支点位置を変えることができる。このため、作業者が棟部近傍を移動しているときに転倒した場合でも、このときの命綱の支点が棟部の第２の位置であるから、前記支点を中心とした作業者の転倒距離を最小限に留めることができ、作業者の屋根からの転落抑止効果を高めることができる。
【００１９】
前記（３）、（４）の手法によれば、屋根上での次なる作業のために安全対策用取付具を屋根に取り付けたままにする場合、建物の外観上、目立ち易い取付部だけの取り外しが可能となり、屋根の外観の体裁を良好に保つことができる。また、安全対策用取付具を２回目以降の作業で使用する場合、既に屋根に固定されている本体に取付部を取り付ければ良いため、当該安全対策用取付具を屋根に固定する手間を省くことが可能になる。
【００２０】
前記（５）の手法によれば、安全対策用取付具を使って、軒部近傍に足場板を配置することができ、屋根作業の安全性の確保に一層有用となる。
【００２１】
前記（７）、（８）の構成によれば、屋根上での次なる作業のために安全対策用取付具を屋根に取り付けたままにする場合、アタッチメントを取り外して残った本体を屋根瓦とその下方の板材との隙間に収容することができ、屋根作業を行わないときは、本体を屋根瓦で隠すことができ、屋根の外観の体裁を良好に保つことができる。
【図面の簡単な説明】
【００２２】
【図１】（Ａ）は、本実施形態に係る安全対策用取付具が屋根に取り付けられた状態を示す概略平面図であり、（Ｂ）は、その一部を拡大した概略斜視図である。
【図２】前記安全対策用取付具の一部を分解した概略斜視図。
【図３】前記安全対策用取付具の概略縦断面図。
【図４】前記安全対策用取付具の不使用時における取り付け状態を示す概略縦断面図。
【図５】前記安全対策用取付具に足場板支持部材を取り付けた状態を示す概略縦断面図。
【図６】変形例に係る安全対策用取付具の一部を省略した概略分解斜視図。
【図７】前記変形例に係る安全対策用取付具の不使用時における取り付け状態を示す概略縦断面図。
【発明を実施するための形態】
【００２３】
以下、本発明の実施形態について図面を参照しながら説明する。
【００２４】
図１（Ａ）には、本発明の安全確保方法に適用される安全対策用取付具が屋根に取り付けられた状態を示す概略平面図が示され、同図（Ｂ）には、その一部を拡大した概略斜視図が示されている。また、図２には、前記安全対策用取付具の一部を分解した概略斜視図が示され、図３には、前記安全対策用取付具の概略縦断面図が示されている。
【００２５】
図１に示されるように、前記安全対策用取付具１０は、瓦屋根Ｒ上での作業の安全対策として用いられるものであり、所望の部位の屋根瓦Ｔを取り外し、そのときに表出する板材Ｂ、すなわち、一定間隔で配置された垂木（図示省略）の上に被覆された板材Ｂの表面に取り付けられる。なお、図１（Ａ）においては、図面上の錯綜を回避するために、屋根瓦Ｔの記載を省略している点、了解されたい。
【００２６】
図２及び図３に示されるように、前記安全対策用取付具１０は、屋根Ｒを構成する板材Ｂの表面に固定される本体１１と、本体１１に対して着脱自在に取り付けられるアタッチメント１２とを備えて構成されている。
【００２７】
前記本体１１は、板材Ｂの表面に接触して当該板材Ｂに固定されるベース１４と、ベース１４に対して移動可能に連なって、アタッチメント１２を支持する支持体１５とからなる。
【００２８】
前記ベース１４は、平面視ほぼ長方形状の板状体の短手方向ほぼ中央部分を折り曲げることで、当該中央部分が隆起した形状となっており、長手方向両端側が隣り合う垂木（図示省略）間の上方位置で掛け渡し可能となる長さに設定されている。このベース１４は、短手方向の両側に位置して板材Ｂに接触する板材接触部１７と、板材接触部１７に連なる短手方向ほぼ中央の突出部１８とにより構成されている。
【００２９】
前記板材接触部１７は、長手方向両端側それぞれに、複数のビス穴２０が形成されている。当該ビス穴２０には、ビス２１が挿入され、当該ビス２１で、板材Ｂ及び垂木（図示省略）にベース１４が固定される。
【００３０】
前記突出部１８には、ベース１４の長手方向に沿って延びる長穴２３が形成されている。なお、特に限定されるものではないが、長穴２３は、ベース１４の長手方向に沿って連続する２箇所に設けられている。
【００３１】
前記支持体１５は、ベース１４に対して起立配置されたロングナット２５と、ロングナット２５をベース１４に固定する位置決めボルト２６（図３参照）とにより構成されている。
【００３２】
前記ロングナット２５は、長穴２３の幅よりも大径に設けられており、ベース１４の表面側（図２中上面側）で、長穴２３の一部を隠すように配置される。
【００３３】
前記位置決めボルト２６は、板材接触部１７と突出部１８によって形成される凹み空間内に頭部が収容可能となっており、ねじ軸部分が長穴２３を貫通してロングナット２５に係わり合い可能となっている。この位置決めボルト２６は、突出部１８の裏面側からの締め付けにより、ロングナット２５をベース１４の所望の位置に固定可能になっている。ここで、位置決めボルト２６がロングナット２５に係わり合った状態のまま、位置決めボルト２６を弛めると、ロングナット２５は、長穴２３の延出方向に沿って移動可能になり、これによって、ベース１４に対するロングナット２５の位置調整が可能になる。この位置調整は、後述するように、屋根Ｒの板材Ｂに本体１１を固定したままで、一旦取り外した屋根瓦Ｔを元の位置に取り付けたときに、当該屋根瓦Ｔに干渉しないように行われる。すなわち、図４に示されるように、屋根瓦Ｔの一端側で外側に膨出する湾曲部分Ｔ１の下方の隙間にロングナット２５が位置するように調整される。従って、ロングナット２５の高さは、後述する使用時の安全対策上の強度を考慮しつつ、前記隙間に収容可能な高さ以下に設定される。
【００３４】
図２及び図３に示されるように、前記アタッチメント１２は、一端側がロングナット２５に着脱自在に係り合い可能な棒ねじ２８と、棒ねじ２８の他端側に着脱自在に係り合い可能なアイナット２９とを備えて構成されている。このアイナット２９には、リング部分が形成されており、当該リング部分は、親綱若しくは命綱を取り付け可能な取付部３０となる。なお、前記アタッチメント１２は、取付部３０を有する形状のものである限り、他の構成のものを採用することもでき、例えば、前記リング部分とねじ部分が一体となっているアイボルトを採用することもできる。
【００３５】
また、図１、図２及び図５に示されるように、屋根Ｒの軒部近傍に取り付けられる安全対策用取付具１０については、アタッチメント１２に、軒部に沿って配置される足場板Ｆを支持するための足場板支持部材３２が取り付けられる。この足場板支持部材３２は、特に限定されるものではないが、Ｌ字金具によって構成されており、屋根Ｒ側に対面配置されるベース面３４と、当該ベース面３４の一端側から起立する起立面３５とからなる。前記ベース面３４のほぼ中央には、棒ねじ２８が通される貫通穴３６が形成されている。
【００３６】
なお、棒ねじ２８に対する各種部材の固定、すなわち、ロングナット２５、アイナット２９及び足場板支持部材３２の固定には、固定用ナット３８が用いられ、前記各種部材の固定時には、いわゆるダブルナットによる締結状態とされる。
【００３７】
次に、瓦屋根Ｒに図示しないソーラーパネルを設置する作業を行う際に、安全対策用取付具１０を用いて作業者（図示省略）の安全を確保する方法について説明する。
【００３８】
図１に示されるように、一点鎖線で囲まれる領域が前記ソーラーパネルの設置のための作業領域Ａであり、当該作業領域Ａの外側の屋根Ｒの部分の複数箇所に安全対策用取付具１０が設置される。
【００３９】
先ず、屋根Ｒの軒部に梯子Ｈを掛け、作業者が梯子Ｈに乗った状態で、当該梯子Ｈの周辺となる軒部近傍に安全対策用取付具１０を固定する。ここでの固定作業は、特に限定されるものではないが、軒部近傍の３箇所で行われる。ここでは、先ず、安全対策用取付具１０について、位置決めボルト２６でロングナット２５をベース１４に緩く連結した状態で、長穴２３に沿ってロングナット２５が移動可能となるようにしておき、且つ、アタッチメント１２を取り外しておく。そして、先ず、屋根瓦Ｒを連続して何枚か取り外し、板材Ｂが表出した状態で、ビス２１によってベース１４を板材Ｂに固定する。この際、ベース１４は、その長手方向が屋根Ｒの左右方向に沿う向きで、板材Ｂの下方に位置する隣り合う垂木（図示省略）を跨ぐように固定される。当該固定に際しては、ベース１４に対するロングナット２５の位置決めをし、適切な位置で位置決めボルト２６を締めてロングナット２５をベース１４に固定した後に、当該ベース１４を屋根Ｒ側に取り付ける。ここでの位置決めは、後述するように、ソーラーパネルの設置作業が終了した後、アタッチメント１２が取り外されて本体１１のみが屋根Ｒに固定された状態で、最初に取り外した屋根瓦Ｔを元に戻したときに、図４に示されるように、屋根瓦Ｔの一端側で外側（上側）に膨らむ湾曲部分Ｔ１と板材Ｂとの間に形成される隙間にロングナット２５が位置するよう調整される。
【００４０】
次に、各軒側位置に取り付けられたベース１４上のロングナット２５に、アタッチメント１２と足場板支持部材３２（図２及び図５参照）をそれぞれ取り付ける。すなわち、先ず、ロングナット２５に棒ねじ２８を取り付け、ロングナット２５の反対側から固定用ナット３８を挿入して締め付け、棒ねじ２８をロングナット２５に固定する。その後、別の固定用ナット３８とともに、足場板支持部材３２の貫通穴３６に棒ねじ２８を通し、ベース面３４の上下両側を固定用ナット３８で締め付けて、棒ねじ２８に足場板支持部材３２を固定する。このとき、足場板支持部材３２は、起立面３５がベース面３４に対して上方に位置し、且つ、起立面３５のうち、ベース面３４と反対側に位置する外面側が、棟部側に位置する向きで取り付けられる。最後に、棒ねじ２８の上端側から、固定用ナット３８とアイナット２９を順に挿入した後、これらナット２９，３８を締め付け、アイナット２９を棒ねじ２８に固定する。そして、軒部近傍の三箇所にそれぞれ取り付けられた足場板支持部材３２間に、足場板Ｆを掛け渡して配置する。このとき、足場板Ｆが、起立面３５の外面と屋根Ｒの表面によって支持されるように、足場板Ｆが足場板支持部材３２の外側に配置される。なお、本実施形態では、足場板Ｆを軒部近傍で支持するために、安全対策用取付具１０を屋根部分三箇所に取り付けているが、ここでの安全対策用取付具１０の取付ピッチ及び取付数は、足場板Ｆの長さや枚数によって種々変更可能である。
【００４１】
次に、図１中左側の軒部位置となる第１の位置４１に固定された安全対策用取付具１０の取付部３０に、前記作業者に取り付けられた１本目の命綱となる第１の命綱（図示省略）を繋ぎ、第１の位置４１から屋根Ｒ上を真っ直ぐ登り、棟部近傍となる屋根Ｒの第２の位置４２に安全対策用取付具１０を固定する。ここでの固定作業は、前述した第１の位置４１を含む軒部位置での安全対策用取付具１０の固定手順に対して、足場板支持部材３２の固定を行わない他、同一手順で行われる。
【００４２】
その後、第２の位置４２に固定された安全対策用取付具１０の取付部３０に、作業者に取り付けられた２本目の命綱となる第２の命綱（図示省略）を繋ぐ一方、前記第１の命綱を作業者側若しくは第１の位置４１側から取り外す。そして、第２の位置４２から棟部近傍を横方向に移動しながら、棟部近傍の複数位置（本実施形態ではその他２箇所）に、第２の位置４２と同一手順で安全対策用取付具１０を固定する。その後、棟部近傍の各位置に取り付けられた安全対策用取付具１０の取付部３０間に、親綱Ｗを掛け渡して固定する。そして、この親綱Ｗに作業者の命綱を繋いだ上で、作業領域Ａでのソーラーパネルの設置作業が行われる。なお、当該設置作業を複数の作業者で行う場合、作業者は、梯子Ｈで第１の位置４１まで登り、当該第１の位置４１に固定された安全対策用取付具１０の取付部３０に前記第１の命綱を取り付けた上で、棟部近傍まで屋根上を登る。そして、親綱Ｗに前記第２の命綱を取り付けた上で、前記第１の命綱を作業者側若しくは第１の位置４１側から取り外して、前記設置作業を行う。
【００４３】
ソーラーパネルの設置作業が終了した後、一端側が作業者に取り付けられた前記第２の命綱の他端側を第２の位置４２の取付部３０に繋いだ状態で、棟部近傍の各安全対策用取付具１０間に掛け渡された親綱Ｗを取り外す。そして、棟部近傍の図１中右側及び中央の位置にそれぞれ固定された各安全対策用取付具１０のアタッチメント１２を前述した取り付け時と反対の手順で取り外し、安全対策用取付具１０の取付時に外した屋根瓦Ｔを元の位置に戻す。すると、当該屋根瓦Ｔの下方の隙間に本体１１が収容され、アタッチメント１２を外した状態の安全対策用取付具１０が屋根瓦Ｔによって被覆されることになる。
【００４４】
そして、前記作業者と第１の位置４１の取付部３０とを前記第１の命綱で繋いだ後、当該作業者に対する前記第２の命綱の連結状態を解除し、前述の他の棟部近傍位置でのアタッチメント１２の取り外しと同様の手順で、第２の位置４１の安全対策用取付具１０からアタッチメント１２のみを取り外し、本体１１を残した状態で、屋根瓦Ｔを元の位置に戻す。
【００４５】
その後、足場板Ｆを取り外し、第１の位置４１を含む軒部近傍の各位置に固定された安全対策用取付具１０からアタッチメント１２と足場板支持部材３２を取り外し、前述の取り外しの場合と同様、本体１１を残した状態で、屋根瓦Ｔを元の位置に戻す。
【００４６】
従って、このような実施形態によれば、ソーラーパネルの設置作業等を行う際に、当該作業時の安全対策のためのセッティングとして、安全対策用取付具１０や親綱Ｗを簡単に屋根Ｒに取り付けることができ、しかも、これらの取り付けに際して、作業者の屋根Ｒからの転落防止に効果的となる。更に、安全対策用取付具１０は、ソーラーパネルのメンテナンス時等、再度、作業領域Ａ内での作業を行うことを考慮して、そのまま屋根Ｒに固定したままにされるが、アタッチメント１２が着脱自在になっており、アタッチメント１２を取り外した状態で、屋根瓦Ｔの下方の隙間に本体１１が収容されるようになっている。このため、屋根瓦Ｔを元に戻したときに、安全対策用取付具１０を屋根Ｒに固定した状態にするための屋根瓦Ｔの加工や処理、例えば、屋根瓦Ｔに対する穴明け、切り欠き、防水処理等が不要になる。しかも、屋根Ｒに固定された本体１１は、安全対策用取付具１０を使用しない時には、屋根瓦Ｔで完全に隠れることになり、屋根Ｒの外観上の体裁を良好に保つことができる。
【００４７】
なお、前記実施形態では、ソーラーパネルの設置時おける安全対策用取付具１０の取り付けについて説明したが、本発明は、屋根工事や衛星アンテナの設置等の他の高所作業に際しても同様に適用できる。
【００４８】
また、前記安全確保方法において、棟部近傍の安全対策用取付具１０の取り付けに際しては、第１の位置４１で固定された前記第１の命綱を作業者に取り付けたままにし、前記第２の命綱を使用せずに、或いは、前記第２の命綱を併用した状態で行ってもよい。
【００４９】
更に、前述した安全確保方法を行うに際しては、前記安全対策用取付具１０を必ずしも用いる必要がなく、取付部３０を有するものであれば、種々の構造の安全対策用取付具を適用することができる。
【００５０】
また、本発明は、瓦屋根Ｒに限らす、その他の屋根を含む建物にも同様に適用できる。例えば、スレート屋根に本発明を適用する場合は、図６及び図７に示されるように、安全対策用取付具５０が用いられる。ここでの安全対策用取付具５０は、前記実施形態の安全対策用取付具１０に対して、ベース１４が平面視ほぼ方形状の平板状となっている他、位置決めボルト２６を設けずに、ロングナット２５をベース１４のほぼ中央に固定し、更に、不使用時にロングナット２５を被覆可能なカバー５２を設けたところが相違する。その他の構造は、前述した安全対策用取付具１０と実質的に同一であり、当該安全対策用取付具１０と同一若しくは同等の構成部分については同一符号を用いるものとし、説明を省略する。なお、図６及び図７では、安全対策用取付具５０を構成するアタッチメント１２や足場板支持部材３２は、前述した構成と同一であるため図示省略している。
【００５１】
前記カバー５２は、内側に本体１１を収容可能となる中空の角錐状に設けられ、上端側には、ロングナット２５に係わり合い可能なボルト５３を通すための貫通穴５４が形成されている。
【００５２】
ここでの安全対策用取付具５０を適用した場合でも、前述の手順に対して屋根瓦Ｔの着脱作業がない点を除き、作業領域Ａでの作業の前後において、前述と実質的に同一となる手順で安全対策が施される。加えて、安全対策用取付具５０の不使用時には、カバー５２で本体１１を被覆した上で、貫通穴５４にボルト５３を通し、当該ボルト５３をロングナット２５にねじ込むことで、カバー５２がロングナット２５に対して脱落不能に結合される。
【００５３】
その他、本発明における安全対策用取付具１０，５０の各部の構成は図示構成例に限定されるものではなく、実質的に同様の作用を奏する限りにおいて、種々の設計変更が可能である。
【符号の説明】
【００５４】
１０  安全対策用取付具
１１  本体
１２  アタッチメント
１４  ベース
１５  支持体
３０  取付部
３２  足場板支持部材
４１  第１の位置
４２  第２の位置
５０  安全対策用取付具
Ａ  作業領域
Ｂ  板材
Ｆ  足場板
Ｒ  屋根
Ｔ  屋根瓦
Ｗ  親綱
【図１】
2011174301.tif 000003
【図２】
2011174301.tif 000004
【図３】
2011174301.tif 000005
【図４】
2011174301.tif 000006
【図５】
2011174301.tif 000007
【図６】
2011174301.tif 000008
【図７】
2011174301.tif 000009